【手続補正書】
【提出日】平成22年3月23日(2010.3.23)
【手続補正１】
【補正対象書類名】特許請求の範囲
【補正対象項目名】全文
【補正方法】変更
【補正の内容】
【特許請求の範囲】
【請求項１】
複数の連続した画像を記憶する画像記憶手段と、
この画像記憶手段に記憶された各画像を表示するための表示手段と、
前記各画像の視覚特性を分析する画像分析手段と、
この画像分析手段によって分析された結果である視覚特性のデータと分析対象となった画像とを各画像について関連付けて記録する記録手段と、
この記録手段によって記録された視覚特性のデータと前記画像とを相関的に表わす特性グラフを作成するグラフ作成手段と、
このグラフ作成手段によって作成された特性グラフを前記表示手段に表示し、前記特性グラフ上の任意の位置が指定された際には、その指定位置の視覚特性に対応した画像を前記表示手段に表示する表示制御手段と
を具備したことを特徴とする画像再生装置。
【請求項２】
前記視覚特性とは色情報であり、
前記グラフ作成手段は、前記各画像の色情報を相関的に表わす特性グラフを作成することを特徴とする請求項１記載の画像再生装置。
【請求項３】
グラフ化する色情報を指定するグラフ色指定手段を備え、
前記グラフ作成手段は、前記グラフ色指定手段によって指定された色情報に関する特性グラフを作成することを特徴とする請求項２記載の画像再生装置。
【請求項４】
前記色情報には、Ｒ，Ｇ，Ｂ，Ｃ，Ｙ，Ｍ，又はＷの何れか１つの情報が含まれることを特徴とする請求項２または３記載の画像再生装置。
【請求項５】
グラフ種類を指定するグラフ種類指定手段とを更に備え、
前記グラフ作成手段は、前記グラフ種類指定手段によって指定された種類の特性グラフを作成することを特徴とする請求項１記載の画像再生装置。
【請求項６】
前記グラフ種類には、折れ線グラフ、棒グラフ、又は帯グラフの何れか１つが含まれることを特徴とする請求項５記載の画像再生装置。
【請求項７】
前記グラフ作成手段は、次回同じ画像の視覚特性のデータをグラフ化する際には、前記記録手段によって関連付けて記録された視覚特性のデータと前記各画像とを参照することを特徴とする請求項１記載の画像再生装置。
【請求項８】
前記画像記憶手段に記憶された各画像は、動画像であることを特徴とする請求項１記載の画像再生装置。
【請求項９】
前記画像記憶手段に記憶された各画像は、複数の静止画であることを特徴とする請求項１記載の画像再生装置。
【請求項１０】
前記表示手段は、第１の表示手段と第２の表示手段とを更に備え、
前記第１の表示手段は、前記複数の連続した画像を表示し、
前記第２の表示手段は、前記特性グラフを表示することを特徴とする請求項１記載の画像再生装置。
【請求項１１】
前記表示手段で表示している画像に対応した前記特性グラフの対応位置記号を示す位置表示手段とを更に備え、
前記表示制御手段は、前記位置表示手段で表示している前記特性グラフの対応位置記号を移動することにより前記特性グラフ上の任意の位置を指定する
ことを特徴とする請求項１記載の画像再生装置。
【請求項１２】
前記表示手段は、画像記憶手段に記憶された画像と、前記特性グラフを同時に表示することを特徴とする請求項１記載の画像再生装置。
【請求項１３】
複数の連続した画像を表示装置に表示するコンピュータを、
前記各画像の視覚特性を分析する分析手段、
この分析手段によって分析された結果である視覚特性のデータと前記画像とを関連付けて前記各画像について記録させる記録制御手段、
前記記録手段によって関連付けて記録された視覚特性のデータと前記画像とを相関的に表わす特性グラフを作成する手段、
前記特性グラフを前記表示装置に表示し、前記特性グラフ上の任意の位置が指定された際には、その指定位置の視覚特性に対応した画像を前記表示装置に表示する手段
として機能させることを特徴とするプログラム。
【手続補正２】
【補正対象書類名】明細書
【補正対象項目名】０００５
【補正方法】変更
【補正の内容】
【０００５】
本発明の請求項１に係る画像再生装置は、複数の連続した画像を記憶する画像記憶手段と、この画像記憶手段に記憶された各画像を表示するための表示手段と、前記各画像の視覚特性を分析する画像分析手段と、この画像分析手段によって分析された結果である視覚特性のデータと分析対象となった画像とを各画像について関連付けて記録する記録手段と、この記録手段によって記録された視覚特性のデータと前記画像とを相関的に表わす特性グラフを作成するグラフ作成手段と、このグラフ作成手段によって作成された特性グラフを前記表示手段に表示し、前記特性グラフ上の任意の位置が指定された際には、その指定位置の視覚特性に対応した画像を前記表示手段に表示する表示制御手段とを具備したことを特徴とする。
【手続補正３】
【補正対象書類名】明細書
【補正対象項目名】０００８
【補正方法】変更
【補正の内容】
【０００８】
本発明の請求項４は、請求項２または３記載の画像再生装置において、前記色情報には、Ｒ，Ｇ，Ｂ，Ｃ，Ｙ，Ｍ，又はＷの何れか１つの情報が含まれることを特徴とする。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
本発明の請求項５は、請求項１記載の画像再生装置において、グラフ種類を指定するグラフ種類指定手段とを更に備え、前記グラフ作成手段は、前記グラフ種類指定手段によって指定された種類の特性グラフを作成することを特徴とする。
【手続補正６】
【補正対象書類名】明細書
【補正対象項目名】００１１
【補正方法】変更
【補正の内容】
【００１１】
本発明の請求項６は、請求項５記載の画像再生装置において、前記グラフ種類には、折れ線グラフ、棒グラフ、又は帯グラフの何れか１つが含まれることを特徴とする。
【手続補正７】
【補正対象書類名】明細書
【補正対象項目名】００１２
【補正方法】変更
【補正の内容】
【００１２】
本発明の請求項７は、請求項１記載の画像再生装置において、前記グラフ作成手段は、次回前記画像の視覚特性のデータをグラフ化する際には、前記記録手段によって関連付けて記録された視覚特性のデータと前記画像とを参照することを特徴とする。
【手続補正８】
【補正対象書類名】明細書
【補正対象項目名】００１３
【補正方法】変更
【補正の内容】
【００１３】
本発明の請求項８は、請求項１記載の画像再生装置において、前記画像記憶手段に記憶された各画像は、動画像であることを特徴とする。
【手続補正９】
【補正対象書類名】明細書
【補正対象項目名】００１４
【補正方法】変更
【補正の内容】
【００１４】
本発明の請求項９は、請求項１記載の画像再生装置において、前記表示手段は、第１の表示手段と第２の表示手段を更に備え、前記第１の表示手段は、前記複数の連続した画像を表示し、前記第２の表示手段は、前記特性グラフを表示することを特徴とする。
【手続補正１０】
【補正対象書類名】明細書
【補正対象項目名】００１５
【補正方法】変更
【補正の内容】
【００１５】
本発明の請求項１０は、請求項１記載の画像再生装置において、前記表示手段は、第１の表示手段と第２の表示手段とを更に備え、前記第１の表示手段は、前記複数の連続した画像を表示し、前記第２の表示手段は、前記特性グラフを表示することを特徴とする。
【手続補正１１】
【補正対象書類名】明細書
【補正対象項目名】００１６
【補正方法】変更
【補正の内容】
【００１６】
本発明の請求項１１は、請求項１記載の画像再生装置において、前記表示手段で表示している画像に対応した前記特性グラフの対応位置記号を示す位置表示手段とを更に備え、前記表示制御手段は、前記位置表示手段で表示している前記特性グラフの対応位置記号を移動することにより前記特性グラフ上の任意の位置を指定することを特徴とする。
【手続補正１２】
【補正対象書類名】明細書
【補正対象項目名】００１７
【補正方法】変更
【補正の内容】
【００１７】
本発明の請求項１２は、請求項１記載の画像再生装置において、前記表示手段は、画像記憶手段に記憶された画像と、前記特性グラフを同時に表示することを特徴とする。
【手続補正１３】
【補正対象書類名】明細書
【補正対象項目名】００１８
【補正方法】変更
【補正の内容】
【００１８】
本発明の請求項１３に係るプログラムは、複数の連続した画像を表示装置に表示するコンピュータを、前記各画像の視覚特性を分析する分析手段、この分析手段によって分析された結果である視覚特性のデータと前記画像とを関連付けて前記各画像について記録させる記録制御手段、前記記録手段によって関連付けて記録された視覚特性のデータと前記画像とを相関的に表わす特性グラフを作成する手段、前記特性グラフを前記表示装置に表示し、前記特性グラフ上の任意の位置が指定された際には、その指定位置の視覚特性に対応した画像を前記表示装置に表示する手段として機能させることを特徴とする。